(57)【要約】【課題】通信ネットワーク内および通信ネットワーク間の通信装置の機能を容易に変更する。【解決手段】マスター装置１００が、通信ネットワーク２００−１〜２００−４における機能ごとのリソース使用率に基づいて、通信ネットワーク２００−１〜２００−４それぞれが担う機能および機能に使用するリソース量の割り当てを変更して管理装置２１０−１〜２１０−４に通知し、管理装置２１０−１〜２１０−４が、通知に基づいて通信ネットワーク２００−１〜２００−４内の通信装置が担う機能および機能に使用するリソース量の割り当てを変更する。【選択図】図１
2014023030.tif 000002
【特許請求の範囲】
【請求項１】
複数の通信ネットワークと、該複数の通信ネットワークを管理するマスターネットワーク管理装置とを有する通信システムにおいて、
前記複数の通信ネットワークそれぞれは、複数の機能を実現可能な通信装置が複数設けられ、該複数の通信装置を管理するネットワーク管理装置を有し、
前記マスターネットワーク管理装置は、所定のタイミングで、前記ネットワーク管理装置へ最適化開始要求信号を送信し、前記ネットワーク管理装置から、該ネットワーク管理装置が属する通信ネットワークにおける機能ごとのリソース使用率が通知されると、該通知された機能ごとのリソース使用率に基づいて、前記複数の通信ネットワークそれぞれが担う機能および該機能に使用するリソース量の割り当てを変更し、該変更後の前記機能および前記リソース量の割り当てを前記ネットワーク管理装置へ通知し、
前記ネットワーク管理装置は、前記最適化開始要求信号を受信すると、当該ネットワーク管理装置が管理する複数の通信装置の使用リソース情報を該複数の通信装置から取得し、該取得した使用リソース情報に基づいて、該複数の通信装置が担う機能および該機能に使用するリソース量の割り当てを変更し、前記機能ごとの該複数の通信装置全体のリソース使用率を前記通信ネットワークにおけるリソース使用率として前記マスターネットワーク管理装置へ通知し、前記マスターネットワーク管理装置から前記機能および前記リソース量の割り当てが通知されると、該通知に基づいて、該複数の通信装置が担う機能および該機能に使用するリソース量の割り当てを変更することを特徴とする通信システム。
【請求項２】
請求項１に記載の通信システムにおいて、
前記ネットワーク管理装置は、前記使用リソース情報として、前記複数の通信装置におけるＣＰＵ使用率を取得することを特徴とする通信システム。
【請求項３】
請求項１または請求項２に記載の通信システムにおいて、
前記ネットワーク管理装置は、前記使用リソース情報として、前記複数の通信装置における呼接続数を取得することを特徴とする通信システム。
【請求項４】
請求項１から３のいずれか１項に記載の通信システムにおいて、
前記マスターネットワーク管理装置は、前記ネットワーク管理装置から通知されたリソース使用率が所定の閾値を超えた通信ネットワークがある場合、該複数の通信ネットワークそれぞれが担う機能および該機能に使用するリソース量の割り当てを変更することを特徴とする通信システム。
【請求項５】
請求項１から３のいずれか１項に記載の通信システムにおいて、
前記マスターネットワーク管理装置は、前記ネットワーク管理装置から通知されたリソース使用率が、前記複数の通信ネットワークにおいて互いに偏りがないように、該複数の通信ネットワークそれぞれが担う機能および該機能に使用するリソース量の割り当てを変更することを特徴とする通信システム。
【請求項６】
複数の通信ネットワークをそれぞれ管理する複数のネットワーク管理装置と接続されたマスターネットワーク管理装置であって、
所定のタイミングで、前記ネットワーク管理装置へ最適化開始要求信号を送信する通信部と、
前記ネットワーク管理装置から、該ネットワーク管理装置が属する通信ネットワークにおける機能ごとのリソース使用率が通知されると、該通知された機能ごとのリソース使用率に基づいて、前記複数の通信ネットワークそれぞれが担う機能および該機能に使用するリソース量の割り当てを変更する変更部とを有し、
前記通信部は、前記変更部が変更した前記機能および前記リソース量の割り当てを前記ネットワーク管理装置へ通知するマスターネットワーク管理装置。
【請求項７】
複数の通信装置および該複数の通信装置を管理するネットワーク管理装置とからそれぞれ構成される複数の通信ネットワークを管理する管理方法であって、
所定のタイミングで、前記ネットワーク管理装置へ最適化開始要求信号を送信する処理と、
前記ネットワーク管理装置から、該ネットワーク管理装置が属する通信ネットワークにおける機能ごとのリソース使用率が通知されると、該通知された機能ごとのリソース使用率に基づいて、前記複数の通信ネットワークそれぞれが担う機能および該機能に使用するリソース量の割り当てを変更する処理と、
前記変更した前記機能および前記リソース量の割り当てを前記ネットワーク管理装置へ通知する処理とを行う管理方法。
【請求項８】
複数の通信装置および該複数の通信装置を管理するネットワーク管理装置とからそれぞれ構成される複数の通信ネットワークを管理する装置に、
所定のタイミングで、前記ネットワーク管理装置へ最適化開始要求信号を送信する手順と、
前記ネットワーク管理装置から、該ネットワーク管理装置が属する通信ネットワークにおける機能ごとのリソース使用率が通知されると、該通知された機能ごとのリソース使用率に基づいて、前記複数の通信ネットワークそれぞれが担う機能および該機能に使用するリソース量の割り当てを変更する手順と、
前記変更した前記機能および前記リソース量の割り当てを前記ネットワーク管理装置へ通知する手順とを実行させるためのプログラム。
【発明の詳細な説明】
【技術分野】
【０００１】
本発明は、通信ネットワークの管理を行う通信システム、マスターネットワーク管理装置、管理方法およびプログラムに関する。
【背景技術】
【０００２】
近年、パソコンや携帯電話、その他様々な通信サービスが隆盛を見せている。
【０００３】
このような通信サービスを実現するためには、当該通信サービスの通信方式、ロケーション、規模等、様々な条件に応じた任意の通信ネットワークが必要となる。また、任意の通信ネットワーク間での接続を行うことで、通話、データ通信など互いに異なる通信サービス間での通信も実現している。
【０００４】
図１２は、一般的な通信ネットワークの接続形態の一例を示す図である。
【０００５】
図１２に示した形態では、複数の通信ネットワーク２０００−１〜２０００−４が互いに接続されている。例えば、通信ネットワーク２０００−１は、サーバ等のインターネットサービスを提供するための通信ネットワークである。また、通信ネットワーク２０００−２は、電話やＦＡＸ等のサービスを提供するための通信ネットワークである。また、通信ネットワーク２０００−３は、携帯電話サービスを提供する通信ネットワークである。また、通信ネットワーク２０００−４は、パソコン向けのデータ通信サービスを提供するための通信ネットワークである。このように、提供するサービスが互いに異なる通信ネットワークが接続されている。
【０００６】
図１３は、図１２に示した通信ネットワーク２０００−１の内部構成の一例を示す図である。
【０００７】
図１２に示した通信ネットワーク２０００−１は図１３に示すように、複数の通信装置２２００−１〜２２００−４が互いに接続された構成となっている。通信装置２２００−１〜２２００−４は、提供するサービスに応じた機能を具備し、所定の処理を実行して、通信装置２２００−１〜２２００−４間で相互に通信を行いながら、通信ネットワーク全体として任意の機能を実現している。なお、図１２に示した通信ネットワーク２０００−２〜２０００−４の内部構成についても、同様である。
【０００８】
図１４は、図１３に示した通信装置２２００−１の内部構成の一例を示す図である。
【０００９】
図１３に示した通信装置２２００−１には図１４に示すように、制御部２２２０と、複数の機能カード２２３０−１〜２２３０−３と、インタフェースカード２２４０−１〜２２４０−３とが設けられている。
【００１０】
インタフェースカード２２４０−１〜２２４０−３は、外部の通信装置との通信回線を接続するためのインタフェース処理を行う物理的なカードである。
【００１１】
機能カード２２３０−１〜２２３０−３は、通信装置２２００−１で実現するデータ処理を行う物理的なカードである。
【００１２】
制御部２２２０は、通信装置２２００−１の全体の制御を行う。また、制御部２２２０は、インタフェースカード２２４０−１〜２２４０−３および機能カード２２３０−１〜２２３０−３に対して、バス等を用いて物理的な接続を有し、それぞれのカードに機能を実現するために必要とされる制御を実施する。なお、制御部２２２０は、物理的に独立したカードであっても良いし、インタフェースカード２２４０−１〜２２４０−３と機能カード２２３０−１〜２２３０−３とのいずれかのカードに搭載されているものであっても良い。
【００１３】
上記のような構成は、通信ネットワークの計画、設計時に想定する能力に応じて、機能が割り当てられており、その機能毎に要求される能力、単一の通信装置にて実現可能な能力に応じて、通信装置の配備数が決定されている。また、同様に通信装置内の機能カードについても、必要な機能と能力に応じて実装数が決まっている。
【００１４】
そのため、計画、設計後に必要となる機能単位のパフォーマンスが変化した場合、当該機能を実現する通信装置や通信装置内の機能カードの物理的な追加、変更が必要となる。しかしながら、追加に必要なコストや設置面積の増加の観点から、このような追加、変更は容易ではない。また、このような追加、変更を避けるために、あらかじめ機能単位に必要となる能力に対して、通信装置や通信装置内の機能カードを余剰に配備するという方法も考えられる。しかし、これも同様にコスト、設置面積の点から問題となる。
【００１５】
そこで、ネットワークリソースの使用状況に応じて、装置が具備する機能の配置やパス構成を変更する技術が考えられている（例えば、特許文献１参照。）。
【先行技術文献】
【特許文献】
【００１６】
【特許文献１】特開２００４−２４１８４６号公報
【発明の概要】
【発明が解決しようとする課題】
【００１７】
しかしながら、特許文献１に記載されたような技術においては、上述したような複数の通信ネットワーク間において、リソースの使用状況に応じた変更を行うことはできないという問題点がある。
【００１８】
本発明の目的は、上述した課題を解決する通信システム、マスターネットワーク管理装置、管理方法およびプログラムを提供することである。
【課題を解決するための手段】
【００１９】
本発明の通信システムは、
複数の通信ネットワークと、該複数の通信ネットワークを管理するマスターネットワーク管理装置とを有する通信システムであって、
前記複数の通信ネットワークそれぞれは、複数の機能を実現可能な通信装置が複数設けられ、該複数の通信装置を管理するネットワーク管理装置を有し、
前記マスターネットワーク管理装置は、所定のタイミングで、前記ネットワーク管理装置へ最適化開始要求信号を送信し、前記ネットワーク管理装置から、該ネットワーク管理装置が属する通信ネットワークにおける機能ごとのリソース使用率が通知されると、該通知された機能ごとのリソース使用率に基づいて、前記複数の通信ネットワークそれぞれが担う機能および該機能に使用するリソース量の割り当てを変更し、該変更後の前記機能および前記リソース量の割り当てを前記ネットワーク管理装置へ通知し、
前記ネットワーク管理装置は、前記最適化開始要求信号を受信すると、当該ネットワーク管理装置が管理する複数の通信装置の使用リソース情報を該複数の通信装置から取得し、該取得した使用リソース情報に基づいて、該複数の通信装置が担う機能および該機能に使用するリソース量の割り当てを変更し、前記機能ごとの該複数の通信装置全体のリソース使用率を前記通信ネットワークにおけるリソース使用率として前記マスターネットワーク管理装置へ通知し、前記マスターネットワーク管理装置から前記機能および前記リソース量の割り当てが通知されると、該通知に基づいて、該複数の通信装置が担う機能および該機能に使用するリソース量の割り当てを変更することを特徴とする。
【００２０】
また、本発明のマスターネットワーク管理装置は、
複数の通信ネットワークをそれぞれ管理する複数のネットワーク管理装置と接続されたマスターネットワーク管理装置であって、
所定のタイミングで、前記ネットワーク管理装置へ最適化開始要求信号を送信する通信部と、
前記ネットワーク管理装置から、該ネットワーク管理装置が属する通信ネットワークにおける機能ごとのリソース使用率が通知されると、該通知された機能ごとのリソース使用率に基づいて、前記複数の通信ネットワークそれぞれが担う機能および該機能に使用するリソース量の割り当てを変更する変更部とを有し、
前記通信部は、前記変更部が変更した前記機能および前記リソース量の割り当てを前記ネットワーク管理装置へ通知する。
【００２１】
また、本発明の管理方法は、
複数の通信装置および該複数の通信装置を管理するネットワーク管理装置とからそれぞれ構成される複数の通信ネットワークを管理する管理方法であって、
所定のタイミングで、前記ネットワーク管理装置へ最適化開始要求信号を送信する処理と、
前記ネットワーク管理装置から、該ネットワーク管理装置が属する通信ネットワークにおける機能ごとのリソース使用率が通知されると、該通知された機能ごとのリソース使用率に基づいて、前記複数の通信ネットワークそれぞれが担う機能および該機能に使用するリソース量の割り当てを変更する処理と、
前記変更した前記機能および前記リソース量の割り当てを前記ネットワーク管理装置へ通知する処理とを行う。
【００２２】
また、本発明のプログラムは、
複数の通信装置および該複数の通信装置を管理するネットワーク管理装置とからそれぞれ構成される複数の通信ネットワークを管理する装置に実行させるためのプログラムであって、
所定のタイミングで、前記ネットワーク管理装置へ最適化開始要求信号を送信する手順と、
前記ネットワーク管理装置から、該ネットワーク管理装置が属する通信ネットワークにおける機能ごとのリソース使用率が通知されると、該通知された機能ごとのリソース使用率に基づいて、前記複数の通信ネットワークそれぞれが担う機能および該機能に使用するリソース量の割り当てを変更する手順と、
前記変更した前記機能および前記リソース量の割り当てを前記ネットワーク管理装置へ通知する手順とを実行させる。
【発明の効果】
【００２３】
以上説明したように、本発明においては、通信ネットワーク内および通信ネットワーク間の通信装置の機能を容易に変更することができる。
【図面の簡単な説明】
【００２４】
【図１】本発明の通信システムの実施の一形態を示す図である。
【図２】図１に示したマスター装置の内部構成の一例を示す図である。
【図３】図２に示した変更部に記憶された通信ネットワークにおける機能ごとのリソース使用率の一例を示す図である。
【図４】図１に示した通信ネットワークの内部構成の一例を示す図である。
【図５】図４に示した管理装置の内部構成の一例を示す図である。
【図６】図５に示した変更部に記憶された通信装置から取得した使用リソース情報の一例を示す図である。
【図７】図５に示した変更部に記憶された通信装置から取得した使用リソース情報とその機能として動作している機能カードの枚数との対応付けの一例を示す図である。
【図８】図４に示した通信装置の内部構成の一例を示す図である。
【図９Ａ】図１に示した通信システムにおける管理方法を説明するためのシーケンス図である。
【図９Ｂ】図１に示した通信システムにおける管理方法を説明するためのシーケンス図である。
【図１０Ａ】図９Ａを用いて説明したステップＳ２の処理の詳細を説明するためのシーケンス図である。
【図１０Ｂ】図９Ａを用いて説明したステップＳ２の処理の詳細を説明するためのシーケンス図である。
【図１１】図９Ｂを用いて説明したステップＳ１６の処理の詳細を説明するためのシーケンス図である。
【図１２】一般的な通信ネットワークの接続形態の一例を示す図である。
【図１３】図１２に示した通信ネットワークの内部構成の一例を示す図である。
【図１４】図１３に示した通信装置の内部構成の一例を示す図である。
【発明を実施するための形態】
【００２５】
以下に、本発明の実施の形態について図面を参照して説明する。
【００２６】
図１は、本発明の通信システムの実施の一形態を示す図である。
【００２７】
本形態は図１に示すように、マスター装置１００と、複数の通信ネットワーク２００−１〜２００−４とから構成されている。また、通信ネットワーク２００−１〜２００−４にはそれぞれ、管理装置２１０−１〜２１０−４が配置されている。なお、図１に示した形態においては、通信ネットワーク２００−１〜２００−４および管理装置２１０−１〜２１０−４がそれぞれ４つである場合を例に挙げて示しているが、その数は特に限定しない。
【００２８】
マスター装置１００は、通信ネットワーク２００−１〜２００−４内の管理装置２１０−１〜２１０−４と直接または間接に接続され、通信ネットワーク２００−１〜２００−４を管理するマスターネットワーク管理装置である。
【００２９】
図２は、図１に示したマスター装置１００の内部構成の一例を示す図である。
【００３０】
図１に示したマスター装置１００には図２に示すように、通信部１０１と、変更部１０２とが設けられている。なお、図２には、図１に示したマスター装置１００に設けられた構成要素のうち、本実施の形態に関わる主要な構成要素の一例を示す。
【００３１】
通信部１０１は、所定のタイミングで、管理装置２１０−１〜２１０−４へ最適化開始要求信号を送信する。この最適化開始要求信号は、マスター装置１００が管理装置２１０−１〜２１０−４に対して最適化の処理の開始を要求する旨を示すものであることを、管理装置２１０−１〜２１０−４にて認識できるものであれば良い。また、通信部１０１は、変更部１０２が変更した機能およびリソース量の割り当てを管理装置２１０−１〜２１０−４へ通知する。
【００３２】
変更部１０２は、管理装置２１０−１〜２１０−４から、通信ネットワーク２００−１〜２００−４における機能ごとのリソース使用率が通知されると、その通知された機能ごとのリソース使用率に基づいて、通信ネットワーク２００−１〜２００−４それぞれが担う機能およびその機能に使用するリソース量の割り当てを変更する。この変更方法の詳細については、後述する。なお、変更部１０２は、管理装置２１０−１〜２１０−４から通知された、通信ネットワーク２００−１〜２００−４における機能ごとのリソース使用率を記憶するものであっても良い。
【００３３】
図３は、図２に示した変更部１０２に記憶された通信ネットワーク２００−１〜２００−４における機能ごとのリソース使用率の一例を示す図である。ここで、図３では、リソース使用率としてＣＰＵ使用率を用いた場合を例に挙げて示すが、例えば、メモリ使用率や、呼接続数、パケット使用率等であっても良く、通信ネットワーク２００−１〜２００−４にどの程度負荷がかかっているかを示すものであれば良い。
【００３４】
図２に示した変更部１０２には図３に示すように、通信ネットワーク２００−１〜２００−４における機能ごとのリソース使用率（ＣＰＵ使用率）が記憶されている。
【００３５】
例えば、図３に示すように、通信ネットワーク２００−１について、機能Ａ「８０％」、機能Ｂ「８０％」、機能Ｃ「９０％」が記憶されている。これは、通信ネットワーク２００−１において、機能Ａとして機能しているＣＰＵのＣＰＵ使用率が８０％であり、機能Ｂとして機能しているＣＰＵのＣＰＵ使用率が８０％であり、機能Ｃとして機能しているＣＰＵのＣＰＵ使用率が９０％であることを示している。また、通信ネットワーク２００−２について、機能Ａ「２０％」、機能Ｂ「６０％」、機能Ｃ「４０％」が記憶されている。これは、通信ネットワーク２００−２において、機能Ａとして機能しているＣＰＵのＣＰＵ使用率が２０％であり、機能Ｂとして機能しているＣＰＵのＣＰＵ使用率が６０％であり、機能Ｃとして機能しているＣＰＵのＣＰＵ使用率が４０％であることを示している。また、通信ネットワーク２００−３について、機能Ａ「７０％」、機能Ｂ「１０％」、機能Ｃ「６０％」が記憶されている。これは、通信ネットワーク２００−３において、機能Ａとして機能しているＣＰＵのＣＰＵ使用率が７０％であり、機能Ｂとして機能しているＣＰＵのＣＰＵ使用率が１０％であり、機能Ｃとして機能しているＣＰＵのＣＰＵ使用率が６０％であることを示している。また、通信ネットワーク２００−４について、機能Ａ「４０％」、機能Ｂ「２０％」、機能Ｃ「９０％」が記憶されている。これは、通信ネットワーク２００−４において、機能Ａとして機能しているＣＰＵのＣＰＵ使用率が４０％であり、機能Ｂとして機能しているＣＰＵのＣＰＵ使用率が２０％であり、機能Ｃとして機能しているＣＰＵのＣＰＵ使用率が９０％であることを示している。
【００３６】
なお、これらは、管理装置２１０−１〜２１０−４から通知された後に記憶される。また、変更後に書き換えられるものであっても良い。
【００３７】
図１に戻り、通信ネットワーク２００−１〜２００−４は、サービスを提供する通信ネットワークである。ここで、通信ネットワーク２００−１〜２００−４は、互いに異なるサービスを提供するものであっても良いし、互いに同じサービスを提供するものであっても良い。また、通信ネットワーク２００−１〜２００−４それぞれは、企業内ネットワークやＬＡＮ（Ｌｏｃａｌ  Ａｒｅａ  Ｎｅｔｗｏｒｋ）等、他の通信ネットワークとは独立しても成り立つものである。
【００３８】
図４は、図１に示した通信ネットワーク２００−１の内部構成の一例を示す図である。
【００３９】
図１に示した通信ネットワーク２００−１は図４に示すように、管理装置２１０−１と、複数の通信装置２２０−１〜２２０−４とから構成されている。通信ネットワーク２００−１内では、それぞれの通信装置２２０−１〜２２０−４が特定の処理を実行し、通信装置２２０−１〜２２０−４間で相互に通信を行いながら、通信ネットワーク２００−１全体として任意の機能を実現している。なお、図４においては、通信装置２２０−１〜２２０−４が４つである場合を例に挙げて示しているが、その数は特に限定しない。また、図１に示した通信ネットワーク２００−２〜２００−４の内部構成は、図４に示したものと同様である。
【００４０】
管理装置２１０−１は、通信装置２２０−１〜２２０−４と直接または間接に接続され、それぞれを管理するネットワーク管理装置である。
【００４１】
図５は、図４に示した管理装置２１０−１の内部構成の一例を示す図である。
【００４２】
図４に示した管理装置２１０−１には図５に示すように、通信部２１１，２１４と、取得部２１２と、変更部２１３とが設けられている。なお、図５には、図４に示した管理装置２１０−１に設けられた構成要素のうち、本実施の形態に関わる主要な構成要素の一例を示す。また、図１に示した管理装置２１０−２〜２１０−４の内部構成は、図５に示したものと同様である。
【００４３】
通信部２１１は、通信装置２２０−１〜２２０−４との接続インタフェース処理を行う。
【００４４】
取得部２１２は、通信装置２２０−１〜２２０−４の使用リソース情報を通信装置２２０−１〜２２０−４から取得する。この使用リソース情報は、通信装置２２０−１〜２２０−４における機能ごとの保有リソースに対する使用リソースの割合を示す情報である。例えば、使用リソース情報は、機能ごとのＣＰＵ使用率、メモリ使用率、呼接続数、パケット使用率等であっても良い。また、この取得方法は、取得部２１２が通信部２１１を介して取得要求を示す信号を通信装置２２０−１〜２２０−４へ送信し、その応答として通信装置２２０−１〜２２０−４から送信されたものを受信するものであっても良く、ここでは特に規定しない。
【００４５】
変更部２１３は、取得部２１２が取得した使用リソース情報に基づいて、通信装置２２０−１〜２２０−４が担う機能およびその機能に使用するリソース量の割り当てを変更する。なお、変更部２１３は、通信装置２２０−１〜２２０−４から取得した使用リソース情報を記憶するものであっても良い。
【００４６】
図６は、図５に示した変更部２１３に記憶された通信装置２２０−１〜２２０−４から取得した使用リソース情報の一例を示す図である。ここで、図６では、使用リソース情報としてＣＰＵ使用率を用いた場合を例に挙げて示すが、上述したように、メモリ使用率や、呼接続数、パケット使用率等であっても良い。
【００４７】
図５に示した変更部２１３には図６に示すように、通信装置２２０−１〜２２０−４から取得した使用リソース情報（ＣＰＵ使用率）が記憶されている。
【００４８】
例えば、図６に示すように、通信装置２２０−１について、機能Ａ「８０％」、機能Ｂ「５０％」、機能Ｃ「２０％」が記憶されている。これは、通信装置２２０−１において、機能Ａとして機能しているＣＰＵのＣＰＵ使用率が８０％であり、機能Ｂとして機能しているＣＰＵのＣＰＵ使用率が５０％であり、機能Ｃとして機能しているＣＰＵのＣＰＵ使用率が２０％であることを示している。また、通信装置２２０−２について、機能Ａ「２０％」、機能Ｂ「８０％」、機能Ｃ「４０％」が記憶されている。これは、通信装置２２０−２において、機能Ａとして機能しているＣＰＵのＣＰＵ使用率が２０％であり、機能Ｂとして機能しているＣＰＵのＣＰＵ使用率が８０％であり、機能Ｃとして機能しているＣＰＵのＣＰＵ使用率が４０％であることを示している。また、通信装置２２０−３について、機能Ａ「７０％」、機能Ｂ「１０％」、機能Ｃ「６０％」が記憶されている。これは、通信装置２２０−３において、機能Ａとして機能しているＣＰＵのＣＰＵ使用率が７０％であり、機能Ｂとして機能しているＣＰＵのＣＰＵ使用率が１０％であり、機能Ｃとして機能しているＣＰＵのＣＰＵ使用率が６０％であることを示している。また、通信装置２２０−４について、機能Ａ「４０％」、機能Ｂ「２０％」、機能Ｃ「９０％」が記憶されている。これは、通信装置２２０−４において、機能Ａとして機能しているＣＰＵのＣＰＵ使用率が４０％であり、機能Ｂとして機能しているＣＰＵのＣＰＵ使用率が２０％であり、機能Ｃとして機能しているＣＰＵのＣＰＵ使用率が９０％であることを示している。
【００４９】
また、変更部２１３は、使用リソース情報をその機能として動作している機能カードの枚数と対応付けて記憶するものであっても良い。
【００５０】
図７は、図５に示した変更部２１３に記憶された通信装置２２０−１〜２２０−４から取得した使用リソース情報とその機能として動作している機能カードの枚数との対応付けの一例を示す図である。ここで、機能カードとは、詳細は後述するが、所定の機能として動作する物理的なカード（ハードウェアデバイス）である。なお、図７に示した使用リソース情報は、図６に示したものと同じであり、例としてＣＰＵ使用率を挙げて示す。また、図７には、通信装置２２０−１から取得した使用リソース情報とその機能として動作している機能カードの枚数との対応付けを例に挙げて示す。通信装置２２０−２〜２２０−４から取得した使用リソース情報とその機能として動作している機能カードの枚数との対応付けも同様である。
【００５１】
図５に示した変更部２１３には図７に示すように、通信装置２２０−１から取得した使用リソース情報（ＣＰＵ使用率）とその機能として動作している機能カードの枚数とが対応付けられて記憶されている。
【００５２】
例えば、図７に示すように、機能Ａについて、機能カード数「４」とＣＰＵ使用率「８０％」とが対応付けられて記憶されている。これは、通信装置２２０−１において機能Ａとして動作している機能カードの数が４枚であり、その４枚の機能カードに搭載されたＣＰＵのリソースのうち８０％のリソースを使用していることを示している。また、機能Ｂについて、機能カード数「３」とＣＰＵ使用率「５０％」とが対応付けられて記憶されている。これは、通信装置２２０−１において機能Ｂとして動作している機能カードの数が３枚であり、その３枚の機能カードに搭載されたＣＰＵのリソースのうち５０％のリソースを使用していることを示している。また、機能Ｃについて、機能カード数「３」とＣＰＵ使用率「２０％」とが対応付けられて記憶されている。これは、通信装置２２０−１において機能Ｃとして動作している機能カードの数が３枚であり、その３枚の機能カードに搭載されたＣＰＵのリソースのうち２０％のリソースを使用していることを示している。
【００５３】
また、変更部２１３は、マスター装置１００から機能およびリソース量の割り当てが通知されると、その通知に基づいて、通信装置２２０−１〜２２０−４が担う機能およびその機能に使用するリソース量の割り当てを変更する。
【００５４】
なお、変更部２１３が、通信装置２２０−１〜２２０−４が担う機能およびその機能に使用するリソース量の割り当てを変更する場合、変更後の機能およびその機能に使用するリソース量の割り当てを通信装置２２０−１〜２２０−４へ通知して行う。
【００５５】
通信部２１４は、機能ごとの通信装置２２０−１〜２２０−４全体のリソース使用率を通信ネットワーク２００−１におけるリソース使用率としてマスター装置１００へ通知する。
【００５６】
図４に戻り、通信装置２２０−１〜２２０−４は、複数の機能を実現可能な装置である。
【００５７】
図８は、図４に示した通信装置２２０−１の内部構成の一例を示す図である。
【００５８】
図４に示した通信装置２２０−１には図８に示すように、管理インタフェース部２２１と、制御部２２２と、機能カード２２３−１〜２２３−３と、インタフェースカード２２４−１〜２２４−３とが設けられている。なお、図８には、図４に示した通信装置２２０−１に設けられた構成要素のうち、本実施の形態に関わる主要な構成要素の一例を示す。また、図４に示した通信装置２２０−２〜２２０−４の内部構成は、図８に示したものと同様である。
【００５９】
インタフェースカード２２４−１〜２２４−３は、外部の通信装置との通信回線を接続するためのインタフェース処理を行う物理的なカードである。また、インタフェースカードの枚数は３枚に限らない。
【００６０】
機能カード２２３−１〜２２３−３は、通信装置２２０−１で実現するデータ処理を行う物理的なカードである。また、機能カードの枚数は３枚に限らない。
【００６１】
制御部２２２は、通信装置２２０−１の全体の制御を行う。また、制御部２２２は、インタフェースカード２２４−１〜２２４−３および機能カード２２３−１〜２２３−３に対して、バス等を用いて物理的な接続を有し、それぞれのカードに機能を実現するために必要とされる制御を実施する。なお、制御部２２２は、物理的に独立したカードであっても良いし、インタフェースカード２２４−１〜２２４−３と機能カード２２３−１〜２２３−３とのいずれかのカードに搭載されているものであっても良い。
【００６２】
管理インタフェース部２２１は、管理装置２１０−１との接続インタフェースとして、新たに具備されるものであり、管理装置２１０−１との情報交換を行うものである。
【００６３】
以下に、本形態における管理方法について説明する。
【００６４】
図９Ａおよび図９Ｂは、図１に示した通信システムにおける管理方法を説明するためのシーケンス図である。
【００６５】
まず、マスター装置１００の通信部１０１が所定のタイミングで、通信ネットワーク２００−１〜２００−４へ最適化処理要求を送信する（ステップＳ１）。具体的には、通信部１０１は、管理装置２１０−１〜２１０−４へ最適化処理要求を示す信号（イントラ・ネットワーク・コンフィグレーション・マネジメント・スタート・リクエスト）を送信する。また、送信のタイミングは、あらかじめ設定された日時・時期や、周期、外部からマスター装置１００へ送信の指示が入力されたとき等、運用する通信ネットワークや提供するサービスの特徴に応じて選択するもので良い。
【００６６】
マスター装置１００から送信された最適化処理要求を示す信号を管理装置２１０−１の通信部２１４が受信すると、通信ネットワーク２００−１において最適化処理が行われる（ステップＳ２）。そして、最適化処理が完了すると、管理装置２１０−１の通信部２１４がその結果（イントラ・ネットワーク・コンフィグレーション・マネジメント・スタート・レスポンス）をマスター装置１００へ送信する（ステップＳ３）。
【００６７】
図１０Ａおよび図１０Ｂは、図９Ａを用いて説明したステップＳ２の処理の詳細を説明するためのシーケンス図である。
【００６８】
通信部２１４が最適化処理要求を示す信号を受信すると、取得部２１２が通信部２１１を介して通信装置２２０−１へ使用リソース情報を要求する信号（コンフィグレーション・マネジメント・リクエスト）を送信する（ステップＳ３１）。当該信号を通信装置２２０−１の管理インタフェース部２２１が受信すると、制御部２２２が通信装置２２０−１内の使用リソース情報を収集する。ここで収集する使用リソース情報は、機能ごとに使用している機能カードの数およびその機能カードごとのリソース使用率（ＣＰＵ使用率、メモリ使用率、ユーザ・呼・セッション接続数、パケット使用数等）である。そして、制御部２２２は、収集した使用リソース情報を情報取得結果（コンフィグレーション・マネジメント・レスポンス）として、管理インタフェース部２２１を介して管理装置２１０−１へ送信する（ステップＳ３２）。この使用リソース情報を取得部２１２が受信することで、取得部２１２は、通信装置２２０−１の使用リソース情報を取得することができる。
【００６９】
同様に、取得部２１２は、通信装置２２０−２から使用リソース情報を取得する（ステップＳ３３，Ｓ３４）。また、同様に、取得部２１２は、通信装置２２０−３から使用リソース情報を取得する（ステップＳ３５，Ｓ３６）。また、同様に、取得部２１２は、通信装置２２０−４から使用リソース情報を取得する（ステップＳ３７，Ｓ３８）。
【００７０】
取得部２１２が、通信装置２２０−１〜２２０−４から使用リソース情報を取得すると、変更部２１３が、取得した使用リソース情報に基づいて、通信ネットワーク２００−１の能力を最適化するために機能に使用するリソース量の割り当てを変更する（ステップＳ３９）。
【００７１】
ここで、変更部２１３における具体的な変更方法について、具体例を挙げて説明する。
【００７２】
まずは、通信装置２２０−１内で機能割り当てを変更する方法を第１の例として説明する。例えば、図７に示したような通信装置２２０−１における機能Ａ，Ｂ，Ｃの機能カード数とＣＰＵ使用率とを使用リソース情報として取得部２１２が取得した場合を考える。
【００７３】
図７に示した状態では、４枚の機能カードで動作している機能Ａについては、使用状況がその４枚の機能カードの処理能力の上限に近いのに対して、３枚の機能カードで動作している機能Ｃについては、その３枚の機能カードの処理能力にまだ余裕があると考えられる。そこで、変更部２１３は、例えば、機能Ａ，Ｂ，Ｃそれぞれに割り当てる機能カード数を、５枚、３枚、２枚とする変更を行う。それにより、機能Ａ，Ｂ，Ｃそれぞれのリソース使用率は、それぞれ６４％、５０％、３０％となり、機能Ａに関する能力の逼迫状態が回避できる。
【００７４】
また、通信装置２２０−１〜２２０−４間で機能割り当てを変更する方法を第２の例として説明する。例えば、取得部２１２が、図６に示したような使用リソース情報を通信装置２２０−１〜２２０−４から取得した場合を考える。
【００７５】
例えば、図６に示した状態では、機能Ａについて通信装置２２０−１におけるリソース使用率が８０％であるため、通信装置２２０−１においては機能Ａの処理能力が上限に近い。そのため、変更部２１３は、他の通信装置２２０−２〜２２０−４の機能カードのうち、機能Ｂまたは機能Ｃとして動作している機能カードの一部を機能Ａで動作させるように機能に使用するリソース量の割り当てを変更する。通信装置２２０−３の機能Ｂのリソース使用率が１０％である。そこで、変更部２１３は、通信装置２２０−３において機能Ｂとして動作している機能カードのうち１枚を機能Ａとして動作させ、通信装置２２０−１が担当している機能Ａの処理の一部を、通信装置２２０−２の機能Ｂから機能Ａへ変更した機能カードに担当させる変更を行う。また、通信装置２２０−２における機能Ａのリソース使用率が２０％である。そこで、変更部２１３は、単に、機能Ａのうち通信装置２２０−１が担当している処理の一部を通信装置２２０−２の機能Ａで動作している機能カードに担当させる変更を行うものであっても良い。
【００７６】
その後、変更部２１３は、変更した割り当てに基づいて、変更の指示を通信部２１１を介して通信装置２２０−１に対して行う（ステップＳ４０）。具体的には、変更部２１３は、通信部２１１を介して通信装置２２０−１に対して、変更内容を示した機能変更要求（ネットワーク・リコンフィグレーション・リクエスト）を送信する。
【００７７】
機能変更要求を通信装置２２０−１の管理インタフェース部２２１が受信すると、制御部２２２は、機能変更要求に示された変更内容に基づいて、機能に使用するリソース量の割り当ての変更を行う（ステップＳ４１）。変更処理が完了すると、制御部２２２は、管理インタフェース部２２１を介して管理装置２１０−１に対して、変更応答として機能変更結果（ネットワーク・リコンフィグレーション・レスポンス）を返信する（ステップＳ４２）。
【００７８】
同様に、変更部２１３は、通信部２１１を介して通信装置２２０−２に対して機能変更要求を送信する（ステップＳ４３）。機能変更要求を通信装置２２０−２が受信すると、通信装置２２０−２は、機能変更要求に示された変更内容に基づいて、機能に使用するリソース量の割り当ての変更を行う（ステップＳ４４）。変更処理が完了すると、通信装置２２０−２は、管理装置２１０−１に対して、変更応答として機能変更結果を返信する（ステップＳ４５）。
【００７９】
また、同様に、変更部２１３は、通信部２１１を介して通信装置２２０−３に対して機能変更要求を送信する（ステップＳ４６）。機能変更要求を通信装置２２０−３が受信すると、通信装置２２０−３は、機能変更要求に示された変更内容に基づいて、機能に使用するリソース量の割り当ての変更を行う（ステップＳ４７）。変更処理が完了すると、通信装置２２０−３は、管理装置２１０−１に対して、変更応答として機能変更結果を返信する（ステップＳ４８）。
【００８０】
また、同様に、変更部２１３は、通信部２１１を介して通信装置２２０−４に対して機能変更要求を送信する（ステップＳ４９）。機能変更要求を通信装置２２０−４が受信すると、通信装置２２０−４は、機能変更要求に示された変更内容に基づいて、機能に使用するリソース量の割り当ての変更を行う（ステップＳ５０）。変更処理が完了すると、通信装置２２０−４は、管理装置２１０−１に対して、変更応答として機能変更結果を返信する（ステップＳ５１）。
【００８１】
すべての通信装置２２０−１〜２２０−４に対して、機能に使用するリソース量の割り当ての変更処理が完了すると、管理装置２１０−１の通信部２１４は、通信ネットワーク２００−１についての変更完了処理を行い、マスター装置１００へネットワーク最適化開始結果（イントラ・ネットワーク・コンフィグレーション・マネジメント・スタート・レスポンス）を返信（通知）することで、変更応答を行う（ステップＳ５２）。この結果には、通信ネットワーク２００−１〜２００−４それぞれにおいて、動作している機能ごとのリソース使用率が含まれる。
【００８２】
その後、ステップＳ１〜Ｓ３と同様の処理が、通信ネットワーク２００−２に対して行われる（ステップＳ４〜Ｓ６）。また、ステップＳ１〜Ｓ３と同様の処理が、通信ネットワーク２００−３に対して行われる（ステップＳ７〜Ｓ９）。また、ステップＳ１〜Ｓ３と同様の処理が、通信ネットワーク２００−４に対して行われる（ステップＳ１０〜Ｓ１２）。
【００８３】
すべての結果をマスター装置１００の通信部１０１が受信すると、受信した結果に基づいて、変更部１０２は、通信ネットワーク２００−１〜２００−４間で最適化処理が必要かどうかを判定する（ステップＳ１３）。例えば、受信したリソース使用率が所定の閾値を超えた通信ネットワークがある場合、変更部１０２は、通信ネットワーク２００−１〜２００−４間で最適化処理が必要であると判定する。また、受信したリソース使用率が、通信ネットワーク２００−１〜２００−４間で偏りがある場合、変更部１０２は、互いに偏りがないようにするために通信ネットワーク２００−１〜２００−４間で最適化処理が必要であると判定する。この偏りの判定方法として、通信ネットワーク２００−１〜２００−４にて、最大のリソース使用率と最小のリソース使用率との差分が所定の値よりも大きな場合、偏りがあると判定する方法を用いるものであっても良い。また、互いに偏りがないようにする変更方法として、最大のリソース使用率と最小のリソース使用率との差分が所定の値よりも小さな値になるように変更する方法を用いるものであっても良い。
【００８４】
通信ネットワーク２００−１〜２００−４間で最適化処理が必要ではない場合、処理は終了する。
【００８５】
一方、通信ネットワーク２００−１〜２００−４間で最適化処理が必要である場合は、変更部１０２は、通信ネットワーク２００−１〜２００−４間における最適化処理を行う（ステップＳ１４）。
【００８６】
ここで、変更部２０３における具体的な通信ネットワーク２００−１〜２００−４間における最適化処理について、具体例を挙げて説明する。
【００８７】
例えば、図３に示したような、通信ネットワーク２００−１〜２００−４における機能ごとのリソース使用率が、通信ネットワーク２００−１〜２００−４から通知されてきた場合を考える。また、所定の閾値が８５％である場合を例に挙げる。
【００８８】
例えば、図３に示した状態では、機能Ｃについて通信ネットワーク２００−１におけるリソース使用率が９０％であるため、閾値を超えている。また、機能Ｃについて通信ネットワーク２００−４におけるリソース使用率も９０％であるため、閾値を超えている。そのため、変更部１０２は、機能Ｃについて、機能Ｃのうち通信ネットワーク２００−１，２００−４が担当している処理の一部を通信ネットワーク２００−２，２００−３に担当させる変更を行う。
【００８９】
また、機能Ｂについては、最大となるリソース使用率が通信ネットワーク２００−１における８０％であり、最小となるリソース使用率が通信ネットワーク２００−３における１０％であり、その差分は７０％である。ここで、例えば、閾値を６５％とした場合、差分がこの閾値を超えているため、変更部１０２は、機能Ｂのうち通信ネットワーク２００−１が担当している処理の一部を通信ネットワーク２００−３に担当させる変更を行うものであっても良い。
【００９０】
そして、変更部１０２は、通信部１０１を介して、通信ネットワーク２００−１（管理装置２１０−１）に対して、変更した内容（機能に使用するリソース量の割り当て）を含むネットワーク間最適化開始要求（インター・ネットワーク・コンフィグレーション・マネジメント・スタート・リクエスト）を、割り当て通知として送信（通知）する（ステップＳ１５）。
【００９１】
すると、要求を受けた通信ネットワーク２００−１において、機能に使用するリソース量の割り当て変更が行われる（ステップＳ１６）。そして、割り当て変更が完了すると、管理装置２１０−１の通信部２１４がその結果（インター・ネットワーク・コンフィグレーション・マネジメント・スタート・レスポンス）を完了通知としてマスター装置１００へ送信する（ステップＳ１７）。
【００９２】
図１１は、図９Ｂを用いて説明したステップＳ１６の処理の詳細を説明するためのシーケンス図である。
【００９３】
割り当て通知を受けた管理装置２１０−１の変更部２１３は、通知の内容に基づいて、通信装置２２０−１〜２２０−４が担う機能およびその機能に使用するリソース量の割り当てを変更する（ステップＳ６１）。この変更方法は、ステップＳ３９の処理と同様のもので良く、通知されたリソース量（使用率）について、通信ネットワーク２００−１内で機能の最適化を図るものであれば良い。
【００９４】
その後、変更部２１３は、変更した割り当てに基づいて、変更の指示を通信部２１１を介して通信装置２２０−１に対して行う（ステップＳ６２）。具体的には、変更部２１３は、通信部２１１を介して通信装置２２０−１に対して、変更内容を示した機能変更要求（ネットワーク・リコンフィグレーション・リクエスト）を送信する。
【００９５】
機能変更要求を通信装置２２０−１の管理インタフェース部２２１が受信すると、制御部２２２は、機能変更要求に示された変更内容に基づいて、機能に使用するリソース量の割り当ての変更を行う（ステップＳ６３）。変更処理が完了すると、制御部２２２は、管理インタフェース部２２１を介して管理装置２１０−１に対して、変更応答として機能変更結果（ネットワーク・リコンフィグレーション・レスポンス）を返信する（ステップＳ６４）。
【００９６】
同様に、変更部２１３は、通信部２１１を介して通信装置２２０−２に対して機能変更要求を送信する（ステップＳ６５）。機能変更要求を通信装置２２０−２が受信すると、通信装置２２０−２は、機能変更要求に示された変更内容に基づいて、機能に使用するリソース量の割り当ての変更を行う（ステップＳ６６）。変更処理が完了すると、通信装置２２０−２は、管理装置２１０−１に対して、変更応答として機能変更結果を返信する（ステップＳ６７）。
【００９７】
また、同様に、変更部２１３は、通信部２１１を介して通信装置２２０−３に対して機能変更要求を送信する（ステップＳ６８）。機能変更要求を通信装置２２０−３が受信すると、通信装置２２０−３は、機能変更要求に示された変更内容に基づいて、機能に使用するリソース量の割り当ての変更を行う（ステップＳ６９）。変更処理が完了すると、通信装置２２０−３は、管理装置２１０−１に対して、変更応答として機能変更結果を返信する（ステップＳ７０）。
【００９８】
また、同様に、変更部２１３は、通信部２１１を介して通信装置２２０−４に対して機能変更要求を送信する（ステップＳ７１）。機能変更要求を通信装置２２０−４が受信すると、通信装置２２０−４は、機能変更要求に示された変更内容に基づいて、機能に使用するリソース量の割り当ての変更を行う（ステップＳ７２）。変更処理が完了すると、通信装置２２０−４は、管理装置２１０−１に対して、変更応答として機能変更結果を返信する（ステップＳ７３）。
【００９９】
すべての通信装置２２０−１〜２２０−４に対して、機能に使用するリソース量の割り当ての変更処理が完了すると、管理装置２１０−１の通信部２１４は、通信ネットワーク２００−１についての変更完了処理を行い、マスター装置１００へネットワーク最適化開始結果（インター・ネットワーク・コンフィグレーション・マネジメント・スタート・レスポンス）を返信（通知）することで、変更応答を行う（ステップＳ７４）。
【０１００】
その後、ステップＳ１５〜Ｓ１７と同様の処理が、通信ネットワーク２００−２に対して行われる（ステップＳ１８〜Ｓ２０）。また、ステップＳ１５〜Ｓ１７と同様の処理が、通信ネットワーク２００−３に対して行われる（ステップＳ２１〜Ｓ２３）。また、ステップＳ１５〜Ｓ１７と同様の処理が、通信ネットワーク２００−４に対して行われる（ステップＳ２４〜Ｓ２６）。
【０１０１】
以上でネットワークの能力を最適化する動作が完了する。
【０１０２】
このように、通信ネットワーク２００−１〜２００−４内で機能カードの全体数が足りない状況となった場合は、マスター装置１００を介して、通信ネットワーク２００−１〜２００−４間で機能割当の変更を行うことで、特定機能に関する能力の逼迫状況を回避する。
【０１０３】
また、マスター装置１００および管理装置２１０−１〜２１０−４については、その機能はソフトウェアで実現できるために、それぞれ独立した装置である必要はない。例えば、当該機能を実現するソフトウェアを既存の通信装置や本発明とは異なる既存の通信ネットワークを監視する装置に搭載するものであっても良い。これにより、物理的な構成を変えることなく、本発明の動作を実現することも可能である。
【０１０４】
以上説明したように、本発明においては、以下に記載するような効果を奏する。
【０１０５】
第１の効果は、マスター装置１００および管理装置２１０−１〜２１０−４を具備することで、機能単位での通信ネットワークの能力の変更が必要な場合であっても、物理的に通信装置や通信装置内の機能カードを追加、変更することなく、自動的に通信ネットワーク内および通信ネットワーク間の通信装置の機能を変更することができることである。
【０１０６】
第２の効果は、実際の通信ネットワーク使用状況に合わせて、通信ネットワーク内および通信ネットワーク間の機能割り当てを最適化するために、通信ネットワーク全体の通信装置や通信装置内の機能カードを余剰に配備する必要が無いことである。
【０１０７】
これにより、通信ネットワーク全体として最適な能力を発揮することができる。
【０１０８】
なお、上述したマスター装置１００および管理装置２１０−１〜２１０−４それぞれに設けられた各構成要素が行う処理は、目的に応じてそれぞれ作製された論理回路で行うようにしても良い。また、処理内容を手順として記述したコンピュータプログラム（以下、プログラムと称する）をマスター装置１００および管理装置２１０−１〜２１０−４それぞれにて読取可能な記録媒体に記録し、この記録媒体に記録されたプログラムをマスター装置１００および管理装置２１０−１〜２１０−４それぞれに読み込ませ、実行するものであっても良い。マスター装置１００および管理装置２１０−１〜２１０−４それぞれにて読取可能な記録媒体とは、フロッピー（登録商標）ディスク、光磁気ディスク、ＤＶＤ、ＣＤなどの移設可能な記録媒体の他、マスター装置１００および管理装置２１０−１〜２１０−４それぞれに内蔵されたＲＯＭ、ＲＡＭ等のメモリやＨＤＤ等を指す。この記録媒体に記録されたプログラムは、マスター装置１００および管理装置２１０−１〜２１０−４それぞれに設けられたＣＰＵ（不図示）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【０１０９】
上記の実施の形態の一部または全部は、以下の付記のようにも記載され得るが、以下には限られない。
（付記１）複数の通信ネットワークと、該複数の通信ネットワークを管理するマスターネットワーク管理装置とを有する通信システムにおいて、
前記複数の通信ネットワークそれぞれは、複数の機能を実現可能な通信装置が複数設けられ、該複数の通信装置を管理するネットワーク管理装置を有し、
前記マスターネットワーク管理装置は、所定のタイミングで、前記ネットワーク管理装置へ最適化開始要求信号を送信し、前記ネットワーク管理装置から、該ネットワーク管理装置が属する通信ネットワークにおける機能ごとのリソース使用率が通知されると、該通知された機能ごとのリソース使用率に基づいて、前記複数の通信ネットワークそれぞれが担う機能および該機能に使用するリソース量の割り当てを変更し、該変更後の前記機能および前記リソース量の割り当てを前記ネットワーク管理装置へ通知し、
前記ネットワーク管理装置は、前記最適化開始要求信号を受信すると、当該ネットワーク管理装置が管理する複数の通信装置の使用リソース情報を該複数の通信装置から取得し、該取得した使用リソース情報に基づいて、該複数の通信装置が担う機能および該機能に使用するリソース量の割り当てを変更し、前記機能ごとの該複数の通信装置全体のリソース使用率を前記通信ネットワークにおけるリソース使用率として前記マスターネットワーク管理装置へ通知し、前記マスターネットワーク管理装置から前記機能および前記リソース量の割り当てが通知されると、該通知に基づいて、該複数の通信装置が担う機能および該機能に使用するリソース量の割り当てを変更することを特徴とする通信システム。
（付記２）前記ネットワーク管理装置は、前記使用リソース情報として、前記複数の通信装置におけるＣＰＵ使用率を取得することを特徴とする、付記１に記載の通信システム。
（付記３）前記ネットワーク管理装置は、前記使用リソース情報として、前記複数の通信装置における呼接続数を取得することを特徴とする、付記１または付記２に記載の通信システム。
（付記４）前記マスターネットワーク管理装置は、前記ネットワーク管理装置から通知されたリソース使用率が所定の閾値を超えた通信ネットワークがある場合、該複数の通信ネットワークそれぞれが担う機能および該機能に使用するリソース量の割り当てを変更することを特徴とする、付記１から３のいずれか１項に記載の通信システム。
（付記５）前記マスターネットワーク管理装置は、前記ネットワーク管理装置から通知されたリソース使用率が、前記複数の通信ネットワークにおいて互いに偏りがないように、該複数の通信ネットワークそれぞれが担う機能および該機能に使用するリソース量の割り当てを変更することを特徴とする、付記１から３のいずれか１項に記載の通信システム。
（付記６）複数の通信ネットワークをそれぞれ管理する複数のネットワーク管理装置と接続されたマスターネットワーク管理装置であって、
所定のタイミングで、前記ネットワーク管理装置へ最適化開始要求信号を送信する通信部と、
前記ネットワーク管理装置から、該ネットワーク管理装置が属する通信ネットワークにおける機能ごとのリソース使用率が通知されると、該通知された機能ごとのリソース使用率に基づいて、前記複数の通信ネットワークそれぞれが担う機能および該機能に使用するリソース量の割り当てを変更する変更部とを有し、
前記通信部は、前記変更部が変更した前記機能および前記リソース量の割り当てを前記ネットワーク管理装置へ通知するマスターネットワーク管理装置。
（付記７）複数の通信装置および該複数の通信装置を管理するネットワーク管理装置とからそれぞれ構成される複数の通信ネットワークを管理する管理方法であって、
所定のタイミングで、前記ネットワーク管理装置へ最適化開始要求信号を送信する処理と、
前記ネットワーク管理装置から、該ネットワーク管理装置が属する通信ネットワークにおける機能ごとのリソース使用率が通知されると、該通知された機能ごとのリソース使用率に基づいて、前記複数の通信ネットワークそれぞれが担う機能および該機能に使用するリソース量の割り当てを変更する処理と、
前記変更した前記機能および前記リソース量の割り当てを前記ネットワーク管理装置へ通知する処理とを行う管理方法。
（付記８）複数の通信装置および該複数の通信装置を管理するネットワーク管理装置とからそれぞれ構成される複数の通信ネットワークを管理する装置に、
所定のタイミングで、前記ネットワーク管理装置へ最適化開始要求信号を送信する手順と、
前記ネットワーク管理装置から、該ネットワーク管理装置が属する通信ネットワークにおける機能ごとのリソース使用率が通知されると、該通知された機能ごとのリソース使用率に基づいて、前記複数の通信ネットワークそれぞれが担う機能および該機能に使用するリソース量の割り当てを変更する手順と、
前記変更した前記機能および前記リソース量の割り当てを前記ネットワーク管理装置へ通知する手順とを実行させるためのプログラム。
【符号の説明】
【０１１０】
１００    マスター装置
１０１，２１１，２１４    通信部
１０２，２１３    変更部
２００−１〜２００−４    通信ネットワーク
２１０−１〜２１０−４    管理装置
２１２    取得部
２２０−１〜２２０−４    通信装置
２２１    管理インタフェース部
２２２    制御部
２２３−１〜２２３−３    機能カード
２２４−１〜２２４−３    インタフェースカード
【図１】
2014023030.tif 000003
【図２】
2014023030.tif 000004
【図３】
2014023030.tif 000005
【図４】
2014023030.tif 000006
【図５】
2014023030.tif 000007
【図６】
2014023030.tif 000008
【図７】
2014023030.tif 000009
【図８】
2014023030.tif 000010
【図９Ａ】
2014023030.tif 000011
【図９Ｂ】
2014023030.tif 000012
【図１０Ａ】
2014023030.tif 000013
【図１０Ｂ】
2014023030.tif 000014
【図１１】
2014023030.tif 000015
【図１２】
2014023030.tif 000016
【図１３】
2014023030.tif 000017
【図１４】
2014023030.tif 000018